(57)【要約】【課題】  廃棄物の破砕、脱水を行なう廃棄物処理システムにおいて、破砕脱水装置の能力を超えない定量の廃棄物を継続的に投入する廃棄物の定量供給装置を提供すること。【解決手段】  廃棄物３０が投入される投入口１１Ａ、１１Ｂが一方に形成されるとともに他方に排出口１２Ａ、１２Ｂが形成された槽１３Ａ、１３Ｂと、槽１３Ａ、１３Ｂに配設され、回転されることにより投入口１１Ａ、１１Ｂから投入された廃棄物３０を排出口１２Ａ、１２Ｂに向けて搬送するスクリュー部材１５Ａ、１５Ｂと、槽１３Ａ、１３Ｂの排出口１２Ａ、１２Ｂの近傍に設置され、スクリュー部材１５Ａ、１５Ｂによって搬送されてきた廃棄物３０を切断する切断部材１６Ａ、１６Ｂとを備えた定量供給装置１０によって、大型で硬質な廃棄物３０であっても処理し易い大きさに切断し、破砕脱水装置６の処理能力を超えない定量の廃棄物３０を継続して供給できる。【選択図】図１
2006281076.tif 000002
【特許請求の範囲】
【請求項１】
廃棄物が投入される投入口が一方に形成されるとともに他方に排出口が形成された槽と、
前記槽に配設され、回転されることにより前記投入口から投入された廃棄物を前記排出口に向けて搬送するスクリュー部材と、
前記槽の前記排出口の近傍に設置され、前記スクリュー部材によって搬送されてきた廃棄物を切断する切断部材と、
を備えたことを特徴とする廃棄物の定量供給装置。
【請求項２】
前記切断部材を往復移動させる移動手段を備えたことを特徴とする請求項１の記載の廃棄物の定量供給装置
【請求項３】
前記切断部材を挟んで前記スクリュー部材の前記排出口反対側に設置され、該スクリュー部材によって搬送された廃棄物に逆方向に搬送する力を与える逆スクリュー部材を備えたことを特徴とする請求項１又は２に記載の廃棄物の定量供給装置。  
【請求項４】
前記逆スクリュー部材と前記スクリュー部材とは同一の回転軸に設けられていることを特徴とする請求項３に記載の廃棄物の定量供給装置。
【請求項５】
前記槽の底部には、凹凸部が形成された異物回収部材が開閉自在に取り付けられていることを特徴とする請求項１、２、３又は４のうちいずれか１つに記載の廃棄物の定量供給装置。
【請求項６】
前記廃棄物の定量供給装置の槽は、第１の槽と第２の槽とからなり、
前期第１の槽に形成された第１の投入口と、前記第２の槽に形成された第２の投入口との間には、第１の投入口側に傾動された際に第１の投入口を閉鎖して第２の投入口を開放し、第２の投入口側に傾動された際に第２の投入口を閉鎖して第１の投入口を開放する投入口切替部材が傾動自在に設けられていることを特徴とする請求項１、２、３、４又は５のうちいずれか１つに記載の廃棄物の定量供給装置。
【請求項７】
前記第１の槽の前記異物回収部材と、前記第２の槽の前記異物回収部材とは、互いに内側に向けて開閉自在に取り付けられていることを特徴とする請求項１、２、３、４、５又は６のうちいずれか１つに記載の廃棄物の定量供給装置。
【発明の詳細な説明】
【技術分野】
【０００１】
本発明は、食品廃棄物を減量化する廃棄物処理システムにおいて、破砕脱水装置へ廃棄物を定量的に投入する廃棄物の定量供給装置に関するものである。
【背景技術】
【０００２】
従来、野菜や果実などの食品廃棄物は、焼却処理施設の焼却炉により焼却処分される。この際、野菜や果実には水分が多量に含まれ、また体積が大きいことなどに起因して、そのまま焼却するのでは焼却効率が低下する。また、コンポスト化する場合もあるが、水分が多いことから処理する際に多大な労力とコストを要する。この問題を解消するために、傾斜配置した２本のスクリューシャフトにより廃棄物の破砕、圧縮、脱水処理を行ない体積や水分を減少させる破砕脱水装置が提案されている(例えば、特許文献１参照。)。
【特許文献１】特開平２００１−３８４９１号公報
【発明の開示】
【発明が解決しようとする課題】
【０００３】
しかし、廃棄物内に大型で硬質なもの（例えば、かぼちゃ等）が含まれる場合には、特許文献１のような破砕脱水装置では２軸スクリュー上で転がる為、破砕が困難であり処理出来ない場合がある。また、一度に大量の廃棄物が脱水装置に投入された場合には、処理能力を超えてしまい処理することが出来ない問題が発生する。
【０００４】
本発明はこのような事情に鑑みてなされたもので、食品廃棄物の破砕、脱水を行なう廃棄物処理システムにおいて、破砕脱水装置の能力を超えない定量の廃棄物を継続的に投入する廃棄物の定量供給装置を提供することを目的とする。
【課題を解決するための手段】
【０００５】
本発明の請求項１は前記目的を達成するために、廃棄物が投入される投入口が一方に形成されるとともに他方に排出口が形成された槽と、前記槽に配設され、回転されることにより前記投入口から投入された廃棄物を前記排出口に向けて搬送するスクリュー部材と、
前記槽の前記排出口の近傍に設置され、前記スクリュー部材によって搬送されてきた廃棄物を切断する切断部材と、を備えたことを特徴とする。
【０００６】
本発明の請求項１によれば、投入口より投入された廃棄物はスクリュー部材により定量で搬送される。搬送された廃棄物は、スクリュー部材と排出口近傍に設置された切断部材により一定の大きさに切断されて破砕脱水装置へ供給される。これにより、大型で硬質な食品廃棄物であっても破砕脱水装置にとって処理し易い大きさに切断でき、破砕脱水装置の処理能力を超えない定量の廃棄物を継続して供給可能となる。
【０００７】
請求項２は請求項１において、前記切断部材を往復移動させる移動手段を備えたことを特徴とする。
【０００８】
本発明の請求項２によれば、切断部材を継続的に使用することにより切断部材に付着する廃棄物の屑を、切断部材を往復移動させることによりスクリュー部材を停止することなく容易に除去することが可能となる。これにより、廃棄物を継続的に定量で供給することが出来る。
【０００９】
請求項３は請求項１又は２において、前記切断部材を挟んで前記スクリュー部材の前記排出口反対側に設置され、該スクリュー部材によって搬送された廃棄物に逆方向に搬送する力を与える逆スクリュー部材を備えたことを特徴とする。
【００１０】
本発明の請求項３によれば、逆スクリュー部材によって排出口の下方へ自然落下しない廃棄物（長物廃棄物等）によるブリッチ（突当り）現象を防止し、確実に廃棄物供給口へ廃棄物が供給されることとなる。逆スクリュー部材は、１／２から１／３ピッチ程度が好適に使用できる。
【００１１】
請求項４は請求項３において、前記逆スクリュー部材と前記スクリュー部材とは同一の回転軸に設けられていることを特徴とする。
【００１２】
本発明の請求項４によれば、スクリュー部材の駆動装置により逆スクリュー部材を駆動させるので、装置がコンパクトになる。
【００１３】
請求項５は請求項１、２、３、又は４のいずれか一つにおいて、前記槽の底部には、凹凸部が形成された異物回収部材が開閉自在に取り付けられていることを特徴とする。
【００１４】
本発明の請求項５によれば、搬送される廃棄物に混入した廃棄物処理の妨げとなる金属などの異物を、異物回収部材の凸部により塞き止める。異物回収部材上に残留した異物は、異物回収部材を槽から取り外して回収できる。
【００１５】
請求項６は請求項１、２、３、４、又は５のいずれか一つにおいて、前記廃棄物の定量供給装置の槽は、第１の槽と第２の槽とからなり、前期第１の槽に形成された第１の投入口と、前記第２の槽に形成された第２の投入口との間には、第１の投入口側に傾動された際に第１の投入口を閉鎖して第２の投入口を開放し、第２の投入口側に傾動された際に第２の投入口を閉鎖して第１の投入口を開放する投入口切替部材が傾動自在に設けられていることを特徴とする。
【００１６】
本発明の請求項６によれば、投入口切替部材を傾動させ第１の槽、又は第２の槽のうち廃棄物の処理を行なう側の槽の投入口を開放する。これにより、清掃などのメンテナンス作業時にも片側を継続動作させることが可能であり、継続的に廃棄物を定量で供給できる。更に、２つの槽を並設することにより設置スペースを小さくすることもできる。
【００１７】
請求項７は請求項１、２、３、４、５又は６のいずれか一つにおいて、前記第１の槽の前記異物回収部材と、前記第２の槽の前記異物回収部材とは、互いに内側に向けて開閉自在に取り付けられていることを特徴とする。
【００１８】
本発明の請求項７によれば、異物回収部材は互いに装置の内側に向かって開くので、異物の回収、及びメンテナンス作業が、異物回収部材が障害とならずに装置外側から容易に行なえる。
【発明の効果】
【００１９】
以上説明したように、本発明の廃棄物の定量供給装置によれば、大型で硬質な食品廃棄物であっても処理し易い大きさに切断され、破砕脱水装置の処理能力を超えない量の廃棄物を継続して定量で破砕脱水装置へ供給することが可能となる。また、２つの槽を並設することにより設置スペースを小さくすることもできる。
【発明を実施するための最良の形態】
【００２０】
以下添付図面に従って本発明に係る廃棄物の定量供給装置の好ましい実施の形態について詳説する。
【００２１】
図１は食品廃棄物を減量化する廃棄物処理システムの構成を示した図である。図１に示すように、廃棄物処理システム１は廃棄物投入部２、金属探知機３、スイング式シュート４、リフト５、定量供給装置１０、破砕脱水装置６、及び廃棄物コンテナ７等から構成される。
【００２２】
野菜屑などの食品廃棄物を主とした廃棄物３０は廃棄物投入部２より廃棄物処理システム１へ供給される。廃棄物投入部２より供給された廃棄物３０は、ベルトコンベア８により搬送され、金属探知機３を通過する。金属探知機３を通過する廃棄物３０内に金属物が混入していた場合は、金属探知機３より警報が発せられ、人の手により金属物が除去される。
【００２３】
金属物の除去が終了した廃棄物３０はベルトコンベア８によって搬送され、矢印Ａ方向に往復移動されているスイング式シュート４上に落下して供給される。スイング式シュート４に供給された廃棄物３０は、リフト５に設けられたコンテナ９に供給される。
【００２４】
コンテナ９に供給された廃棄物３０は、リフト５によりコンテナ９が上昇されて定量供給装置１０へ投入される。定量供給装置１０へ投入された廃棄物３０は、破砕脱水装置６にとって処理し易い大きさに切断されて定量で破砕脱水装置６へ供給される。
【００２５】
破砕脱水装置６へ供給された廃棄物３０は破砕、脱水処理されることにより減量化され、処理後の廃棄物３０は廃棄物コンテナ７へ投入される。以上が廃棄物処理システム１の構成である。
【００２６】
次に、本発明に係る定量供給装置１０の構成について説明する。図２は定量供給装置１０の斜視図。図３は切断部材の斜視図。図４は切断部材の刃の断面図。図５は異物回収部材の断面図及び斜視図である。
【００２７】
図２に示すように、定量供給装置１０には第１の槽１３Ａ、第２の槽１３Ｂの２つの槽が並設され、槽１３Ａには、上部に廃棄物３０を投入する第１の投入口１１Ａ、及び底部の一端に廃棄物３０を排出する第１の排出口１２Ａが形成されている。槽１３Ｂには、槽１３Ａと同様に第２の投入口１１Ｂ、及び第２の排出口１２Ｂが形成されている。
【００２８】
槽１３Ａと槽１３Ｂとの間には投入口切替部材１７が矢印Ｂの方向へ傾動自在に設けられている。この投入口切替部材１７が、槽１３Ａ側へ傾動された際には投入口１１Ａが閉鎖され、槽１３Ｂ側へ傾動された際には投入口１１Ｂが閉鎖される。これにより、図１に示したコンテナ９より投入される廃棄物３０は、槽１３Ａ又は槽１３Ｂのいずれかに選択的に投入される。
【００２９】
槽１３Ａの底部には、一対の軸２１がそれぞれ図４に示すベアリング３２に支持され、図示されない駆動装置により回転可能に配設されている。軸２１には、螺旋状の羽根が設けられ、第１のスクリュー部材１５Ａが構成される。図示されない駆動装置により軸２１が回転することにより、スクリュー部材１５Ａの螺旋状の羽根が回転する。これにより、矢印Ｃ方向へ廃棄物３０が定量で搬送される。槽１３Ｂの底部にも、槽１３Ａと同様に螺旋状の羽根が設けられた一対の軸２１が配設され、第２のスクリュー部材１５Ｂを構成し、廃棄物３０が定量で矢印Ｃ方向へ搬送される。
【００３０】
槽１３Ａの底面には、図５に示すように表面に凸部２４、２４・・・が形成された第１の異物回収部材１８Ａがヒンジ２５により開閉自在に取り付けられている。異物回収部材１８Ａは、廃棄物３０内に混入している小型の金属物などの異物Ｍを凸部２４と凸部２４との間に形成された凹部２７に残留させる。凹部２７に残留した異物Ｍは、開閉ピン２６を外して異物回収部材１８Ａを定量供給装置１０の外側（図５Ｅ側）から見易い方向に開状態にする、又は異物回収部材１８Ａを取り外すことにより回収される。
【００３１】
槽１３Ｂの底面にも同様に凸部２４、２４・・・が形成された第２の異物回収部材１８Ｂがヒンジ２５により開閉自在に取り付けられており、廃棄物３０の混入している異物Ｍの回収が可能となっている。
【００３２】
排出口１２Ａ近傍には、図３に示すように、スクリュー部材１５Ａにより搬送されてきた廃棄物３０を、破砕脱水装置６にとって処理し易い大きさに切断する第１の切断部材１６Ａが設けられている。この第１の切断部材１６Ａは、駆動装置１９Ａにより矢印Ｄ方向（鉛直方向）に往復移動される。切断部材１６Ａには、ストッパー２３により下端の矢印Ｃ方向へのズレを抑制した３枚の刃１８が設けられている。
【００３３】
刃１８は図４に示すように、中央部が両刃、左右の刃が片刃となっており、片刃の刃１８の平面部は軸２１に微小な隙間を開けて配置され、廃棄物３０を切断する際に刃１８の側面にかかる力により刃１８が湾曲することが防止されている。
【００３４】
排出口１２Ｂ近傍には、排出口１２Ａと同様に第２の切断部材１６Ｂが駆動装置１９Ｂにより矢印Ｄ方向（鉛直方向）に往復移動可能に設置され、第２の切断部材１６Ｂにより廃棄物３０は破砕脱水装置６にとって処理し易い大きさに切断される。
【００３５】
軸２１の切断部材１６Ａを挟んでスクリュー部材１５Ａの排出口１２Ａの反対側には、スクリュー部材１５Ａとは逆の螺旋状の羽根により、スクリュー部材１５Ａにより搬送される廃棄物３０に対して逆方向の搬送力を与える第１の逆スクリュー部材２０Ａが１／２〜１／３ピッチ設けられている。これにより、排出口１２Ａの下方へ自然落下しない廃棄物３０（長物廃棄物等）によるブリッチ（突当り）現象を防止し、確実に廃棄物供給口２２へ廃棄物が供給されることとなる。
【００３６】
軸２１の切断部材１６Ｂを挟んでスクリュー部材１５Ｂの排出口１２Ｂの反対側には、同様に第２の逆スクリュー部材２０Ｂが設けられている。したがって、排出口１２Ｂの下方へ自然落下しない廃棄物３０によるブリッチ現象を防止し、確実に廃棄物供給口２２へ廃棄物が供給されることとなる。
【００３７】
なお、切断部材１６Ａ及び切断部材１６Ｂは、図６に示すように、二台の切断部材を廃棄物３０の搬送方向に並設するとともに刃１８の位置をずらして設置し、矢印Ｄ方向に交互に往復移動させる形態でもよい。
【００３８】
次に、本発明に係る定量供給装置１０の作用について説明する。
【００３９】
野菜屑などの食品廃棄物を主とした廃棄物３０は廃棄物処理システム１へ図１に示す廃棄物投入部２より投入され、金属探知機３を通過しコンテナ９へ供給される。コンテナ９はリフト５により上昇し、コンテナ９内の廃棄物３０は定量供給装置１０へ投入される。
【００４０】
定量供給装置１０へ投入された廃棄物３０は、投入口切替部材１７が投入口１１Ｂ側へ傾動して投入口１１Ｂを閉鎖していた場合、投入口１１Ａより槽１３Ａへ投入される。この時、槽１３Ｂはスクリュー部材１５Ｂを停止し、異物回収部材１８Ｂを開けて清掃等のメンテナンス作業をすることが可能である。
【００４１】
槽１３Ａへ投入された廃棄物３０は、スクリュー部材１５Ａの螺旋状の羽根により図２に示す矢印Ｃ方向へ定量で搬送されていく。搬送されていく際、廃棄物３０内に混入した小型の金属物などの異物Ｍは、異物回収部材１８Ａの凸部２４により塞き止められ凹部２７に残留する。残留した異物Ｍはメンテナンス作業時に異物回収部材１８Ａを開閉する、又は着脱することにより回収する。
【００４２】
槽１３Ａの排出口１２Ａまで搬送された廃棄物３０は、破砕脱水装置６の廃棄物供給口２２へ供給される。廃棄物３０内に硬質で大型なもの（例えば、かぼちゃ等）が混入していた場合、その硬質で大型な廃棄物３０は排出口１２Ａの近傍に設置された切断部材１６Ａの刃１８にスクリュー部材１５Ａの搬送力により押しつけられ、破砕脱水装置６にとって処理し易い大きさへ切断される。
【００４３】
この時、廃棄物３０の切断を続けた刃１８に、廃棄物３０の屑等が固着してくると切味が落ちるので、スクリュー部材１５Ａを停止して廃棄物３０の搬送を停止した後、切断部材１６Ａを駆動装置１９Ａにより上昇させて刃１８から屑を除去する。図６に示すように、切断部材１６Ａが複数設置されている場合は、切断部材１６Ａを交互に上昇させてその切断部材１６Ａに付着した屑を除去することにより、スクリュー部材１５Ａを停止せずに固着物を除去することができる。
【００４４】
排出口１２Ａから廃棄物供給口２２へ供給される廃棄物３０は、逆スクリュー部材２０Ａにより、スクリュー部材１５Ａによる矢印Ｃ方向の搬送力とは逆の搬送力が加えられることにより圧縮され、廃棄物供給口２２から飛び出すことなく確実に廃棄物供給口２２へ供給が行なわれ、破砕脱水装置６で処理される。
【００４５】
以上が、本発明に係る定量供給装置１０の作用である。なお、投入口切替部材１７が投入口Ａ側に傾動して投入口Ａを閉鎖し、廃棄物３０が槽１３Ｂへ投入された場合は、槽１３Ａへ投入された場合と同様に、廃棄物３０はスクリュー部材１５Ｂにより定量で搬送される。搬送された廃棄物３０は切断部材１６Ｂにより切断され、排出口１２Ｂより廃棄物供給口２２へ供給され、破砕脱水装置６で処理される。
【００４６】
これらの作用により、本発明に係る定量供給装置１０は、大型で硬質な廃棄物３０であっても破砕脱水装置６にとって処理し易い大きさに切断でき、破砕脱水装置６の処理能力を超えない定量の廃棄物３０を継続して破砕脱水装置６へ供給することが可能となる。
【図面の簡単な説明】
【００４７】
【図１】廃棄物処理システムの構成図
【図２】本発明に係る定量供給装置の斜視図
【図３】定量供給装置の切断部材部の斜視図
【図４】切断部材の刃の断面図
【図５】異物回収部材の断面図及び斜視図
【図６】切断部材を複数台設置した場合の断面図
【符号の説明】
【００４８】
１…廃棄物処理システム，２…廃棄物投入口，３…金属探知機，４…スイング式シュート，５…リフト，６…破砕脱水装置，７…廃棄物コンテナ，８…ベルトコンベア，９…コンテナ，１０…定量供給装置，１１Ａ、１１Ｂ…投入口，１２Ａ、１２Ｂ…排出口,１３Ａ、１３Ｂ…槽，１５Ａ、１５Ｂ…スクリュー部材，１６Ａ、１６Ｂ…切断部材，１７…投入口切替部材，１８…刃，１９Ａ、１９Ｂ…駆動装置，２０Ａ、２０Ｂ…逆スクリュー部材，２１…軸，２２…廃棄物供給口，２３…ストッパー，２４…凸部，２５…ヒンジ，２６…開閉ピン，２７…凹部，３０…廃棄物，３２…ベアリング，Ｍ…異物
【図１】
2006281076.tif 000003
【図２】
2006281076.tif 000004
【図３】
2006281076.tif 000005
【図４】
2006281076.tif 000006
【図５】
2006281076.tif 000007
【図６】
2006281076.tif 000008